(57)【要約】【課題】洗濯物の偏りがあっても内槽の挙動を抑制して安定して脱水を行うことができる洗濯乾燥機および洗濯機を提供すること。【解決手段】洗濯乾燥機１は、の筐体１ｋと、筐体１ｋ内に防振支持され洗濯水、すずぎ水を溜める外槽５と、洗濯物１９が投入され外槽５内に回転自在に支持される内槽６と、内槽６を回転させるモータ１０と、内槽６内の脱水後の水分を含んだ洗濯物１９に温風を吹き付けて乾燥させる乾燥機構２０と、を備えている。外槽５と筐体１ｋとは、モータ１０を回転させて脱水を行う場合に、外槽５が外方向に所定範囲以上大きく揺動するのを抑制する連結部材４０によって連結されている。【選択図】図２
2010233770.tif 000002
【特許請求の範囲】
【請求項１】
洗濯乾燥機の筐体と、
前記筐体内に防振支持されて洗濯水、すずぎ水を溜める外槽と、
洗濯物が投入されて前記外槽内に回転自在に支持される内槽と、
前記内槽を回転させるモータと、
前記内槽内の脱水後の水分を含んだ洗濯物に温風を吹き付けて乾燥させる乾燥機構と、
を備えた洗濯乾燥機であって、
前記モータを回転させて脱水を行う場合に、前記外槽が外方向に所定範囲以上大きく揺動するのを抑制する連結部材によって、前記外槽と前記筐体とは連結されている
ことを特徴とする洗濯乾燥機。
【請求項２】
前記連結部材は、制振ワイヤを備えている
ことを特徴とする請求項１に記載の洗濯乾燥機。
【請求項３】
前記筐体の内壁には、前記外槽の開口周辺部に対向する位置に、前記外槽が外方向に所定範囲以上揺動するのを抑制する抑止部材が設けられるとともに、
前記外槽の底面周辺部に対向する位置に、前記制振ワイヤが配置されている
ことを特徴とする請求項１または請求項２に記載の洗濯乾燥機。
【請求項４】
前記筐体と前記外槽との間には、前記外槽が所定範囲以上横方向に揺動したことを検出する振動検知センサが設置され、
前記制振ワイヤは、前記振動検知センサが配置された位置の下方に配置されている
ことを特徴とする請求項２または請求項３に記載の洗濯乾燥機。
【請求項５】
前記制振ワイヤは、前記外槽と前記筐体との複数個所をそれぞれ連結する複数からなる
ことを特徴とする請求項２ないし請求項４の何れか１項に記載の洗濯乾燥機。
【請求項６】
前記制振ワイヤは、両端部に、当該制振ワイヤを前記外槽および前記筐体に固定するための固定具が挿入される環状の輪部をそれぞれ有するとともに、
前記輪部より当該制振ワイヤの中央側寄りの位置に、緩衝部材が設けられている
ことを特徴とする請求項２ないし請求項５の何れか１項に記載の洗濯乾燥機。
【請求項７】
前記固定具は、前記筐体の一部を形成するフレーム部の端部の一方の面に当接される一方側支持部と、
当該固定具を前記筐体に固定する第１締結部材が前記筐体に形成された貫通孔を挿通して螺着されるとともに、前記フレーム部の端部の他方の面が当接される他方側支持部と、
前記輪部が遊嵌された第２締結部材が螺着される筒部と、を有する
ことを特徴とする請求項６に記載の洗濯乾燥機。
【請求項８】
前記固定具は、前記一方側支持部を一体形成した環状の固定具本体を有し、
前記固定具本体は、前記他方側支持部および前記筒部を一体形成されるとともに、前記他方側支持部と前記筒部とに連なるリブを一体形成している
ことを特徴とする請求項７に記載の洗濯乾燥機。
【請求項９】
前記一方側支持部には、前記フレーム部の端部の近傍に段差状に形成されたストッパに当接する規制部を有する
ことを特徴とする請求項８に記載の洗濯乾燥機。
【請求項１０】
前記固定具本体は、背面に、環状に形成された当該固定具本体に沿って延設された補強用凸部を有する
ことを特徴とする請求項８または請求項９に記載の洗濯乾燥機。
【請求項１１】
洗濯機の筐体と、
前記筐体内に防振支持されて洗濯水、すずぎ水を溜める外槽と、
洗濯物が投入されて前記外槽内に回転自在に支持される内槽と、
前記内槽を回転させるモータと、を備える洗濯機であって、
前記モータを回転させて脱水を行う場合に、前記外槽が外方向に所定範囲以上大きく揺動するのを抑制する連結部材によって、前記外槽と前記筐体とは連結されている
ことを特徴とする洗濯機。
【請求項１２】
前記連結部材は、制振ワイヤを備えている
ことを特徴とする請求項１１に記載の洗濯機。
【請求項１３】
前記筐体の内壁には、前記外槽の開口周辺部に対向する位置に、前記外槽が外方向に所定範囲以上揺動するのを抑制する抑止部材が設けられるとともに、
前記外槽の底面周辺部に対向する位置に、前記制振ワイヤが配置されている
ことを特徴とする請求項１１または請求項１２に記載の洗濯機。
【請求項１４】
前記筐体と前記外槽との間には、前記外槽が所定範囲以上横方向に揺動したことを検出する振動検知センサが設置され、
前記制振ワイヤは、前記振動検知センサが配置された位置の下方に配置されている
ことを特徴とする請求項１２または請求項１３に記載の洗濯機。
【請求項１５】
前記制振ワイヤは、前記外槽と前記筐体との複数個所をそれぞれ連結する複数からなる
ことを特徴とする請求項１２ないし請求項１４の何れか１項に記載の洗濯機。
【請求項１６】
前記制振ワイヤは、両端部に、環状に形成され、当該制振ワイヤを前記外槽または前記筐体にそれぞれ固定するための固定具が挿入される輪部をそれぞれ有するとともに、
前記輪部より当該制振ワイヤの中央側寄りの位置に、緩衝部材が設けられている
ことを特徴とする請求項１２ないし請求項１５の何れか１項に記載の洗濯機。
【請求項１７】
前記固定具は、前記筐体の一部を形成するフレーム部の端部の一方の面に当接される一方側支持部と、
当該固定具を前記筐体に固定する第１締結部材が前記筐体に形成された貫通孔を挿通して螺着されるとともに、前記フレーム部の端部の他方の面が当接される他方側支持部と、
前記輪部が遊嵌された第２締結部材が螺着される筒部と、を有する
ことを特徴とする請求項１６に記載の洗濯機。
【請求項１８】
前記固定具は、前記一方側支持部を一体形成した環状の固定具本体を有し、
前記固定具本体は、前記他方側支持部および前記筒部を一体形成されるとともに、前記他方側支持部と前記筒部とに連なるリブを一体形成している
ことを特徴とする請求項１７に記載の洗濯機。
【請求項１９】
前記一方側支持部には、前記フレーム部の端部の近傍に段差状に形成されたストッパに当接する規制部を有する
ことを特徴とする請求項１８に記載の洗濯機。
【請求項２０】
前記固定具本体は、背面に、環状に形成された当該固定具本体に沿って延設された補強用凸部を有する
ことを特徴とする請求項１８または請求項１９に記載の洗濯機。
【発明の詳細な説明】
【技術分野】
【０００１】
本発明は、衣類等の洗濯から乾燥までを行う洗濯乾燥機および衣類等の洗濯を行う洗濯機に関し、特に脱水運転時の振動を低減するための構造に関する。
【背景技術】
【０００２】
一般的な縦型の脱水洗濯機は、外枠と、外枠内に防振機構を介在し洗濯水を溜める外槽と、該外槽内に回転可能に設けられた内槽と、該内槽内の底部に回転可能に設けられた回転翼と、内槽および／または回転翼を選択的に回転駆動させる駆動機構と、外槽内に洗濯水を給水する給水機構と、外槽内の洗濯水を排水する排水機構と、外槽内の洗濯水の水位を検出する洗濯水位検出手段と、前記駆動機構、給水機構、排水機構等を制御する制御装置とを備えている。
洗濯乾燥機は、洗濯機に洗濯物を乾燥させる乾燥機能を加えた装置であり、外槽内の空気を内槽底部から吸い出して冷却除湿し、除湿した空気を加熱して内槽内に吹き込む乾燥空気循環系を付設した機構になっている。
【０００３】
衣類を洗濯する際には、内槽内に衣類を入れて洗濯する。この洗濯後の衣類を短時間で乾燥させたるためには、干して乾燥させる前に、衣類から水分をできるだけ取り除く必要がある。そこで、内槽は、側面に多数の小さな孔が穿設されており、内槽を高速に回転させ、その孔から遠心力によって衣類の水分を内槽外に流出させる遠心脱水を行っている。
【０００４】
遠心脱水を行うにあたり、内槽内に均等に衣類等の洗濯物を分散させることは困難である。つまり、洗濯物は、内槽内で不釣合いの状態で存在する。その状態で内槽を高速回転させると、洗濯物の重さ等により大きなアンバランスが発生する。内槽は、この内槽内に不釣合いの偏った状態で洗濯物があることにより、その偏った洗濯物の重さによって、内槽全体がアンバランスの状態で回転し、大きな振動を発する。
このような振動を低減するための手段としては、内槽の開口部外周部に流体バランサを取り付けた縦型の洗濯機が知られている（例えば、特許文献１参照）。
【０００５】
流体バランサとは、内槽とほぼ同じ径の中空のリングであり、その中には比重のおおきな液体が封入されている。高速回転で内槽が回転しているときには、その液体が内槽内の洗濯物の不釣合い位置の反対側に集まり、この不釣合いを打ち消すように作用する。このように内槽内の洗濯物の不釣合いが低減され、振動が低減される。
【先行技術文献】
【特許文献】
【０００６】
【特許文献１】特開２００４−３１３２３５号公報（図１および図３）
【発明の概要】
【発明が解決しようとする課題】
【０００７】
しかしながら、特許文献１に記載の流体バランサ等の振動抑制装置を取り付けた洗濯機では、内槽が低速で回転する場合は、振動を低減せることができるが、内槽が高速回転になった場合には、洗濯物の不釣合いから挙動が大きく不安定な状態で振れ回り、内槽が外槽と接触して振動するという問題点があった。
【０００８】
このような問題点を解消するために開発された洗濯機としては、回転している内槽が外槽に接触した場合に、内槽の回転を停止させて、脱水運転を強制的に自動停止させる自動停止装置を備えたものが知られている。
このような洗濯機では、脱水運転が強制的に停止されるので、洗濯物の脱水が一時的に行えなくなるため、スピーディに洗濯を行うことができないという問題点があった。
つまり、脱水運転起動時の洗濯物の偏りによる内槽がアンバランスに挙動した際には、アンバランス挙動のまま脱水起動を試みても、脱水運転がスムーズに開始されない。その結果、脱水工程に移行できず、運転不可能としてエラー表示をしてしまうという問題点があった。
この場合、喩え、脱水運転が再開されたとしても、脱水運転時に停止したり、脱水起動を試みる動作を行ったりしたことにより、脱水する時間が延長されて、脱水工程が終了する時間が遅くなるという問題点があった。
【０００９】
そこで、本発明は、前記従来技術の問題点を解消すべく創案されたものであり、洗濯物の偏りがあっても内槽の挙動を抑制して安定した状態で脱水を行うことができる洗濯乾燥機および洗濯機を提供することを課題とする。
【課題を解決するための手段】
【００１０】
上記目的を達成すべく、第１の本発明に関わる洗濯乾燥機は、洗濯機の筐体と、前記筐体内に防振支持され洗濯水、すずぎ水を溜める外槽と、前記外槽内に回転可能に設けられ、洗濯物を収容する内槽と、前記内槽を回転させるモータと、前記内槽内の脱水後の水分を含んだ洗濯物に温風を吹き付けて乾燥させる乾燥機構と、を備えた洗濯乾燥機であって、前記外槽と前記筐体とは、前記モータを回転させて脱水を行う場合に、前記外槽が外方向に所定範囲以上大きく揺動するのを抑制する連結部材によって連結されている。
【００１１】
第２の本発明に関わる洗濯機は、洗濯機の筐体と、前記筐体内に防振支持され洗濯水、すずぎ水を溜める外槽と、洗濯物が投入され前記外槽内に回転自在に支持される内槽と、前記内槽を回転させるモータと、を備える洗濯機であって、前記外槽と前記筐体とは、前記モータを回転させて脱水を行う場合に、前記外槽が外方向に所定範囲以上大きく揺動するのを抑制する連結部材によって連結されている。
【発明の効果】
【００１２】
本発明によれば、洗濯物の偏りがあっても内槽の挙動を抑制して安定して脱水を行うことができる洗濯乾燥機および洗濯機を提供することができる。
【図面の簡単な説明】
【００１３】
【図１】本発明に関わる実施形態の洗濯乾燥機を示す外観斜視図である。
【図２】実施形態の筐体および連結部材を斜め上方から見た一部断面を有する斜視図である。
【図３】実施形態の洗濯乾燥機の構造を示す図１のＡ−Ａ線要部断面図である。
【図４】図３のＢ−Ｂ線断面図である。
【図５】図２に示す連結部材の拡大図である。
【図６】図２に示す連結部材を斜め上方から見た拡大斜視図である。
【図７】実施形態の連結部材の拡大分解斜視図である。
【図８】(ａ)は、実施形態の連結部材の固定具を筐体の側面板に取り付けるときの状態を示す要部拡大分解断面図であり、(ｂ)は、図５のＣ−Ｃ線断面図である。
【発明を実施するための形態】
【００１４】
以下、本発明の実施形態について添付図面を参照して説明する。
図１は、実施形態の洗濯乾燥機１を示す外観斜視図であり、図２は、洗濯乾燥機１の構造を示す図１のＡ−Ａ線要部断面図である。
この発明の洗濯乾燥機１は、少なくとも脱水機能を備えた洗濯機であれば適応可能であるが、以下、電熱ヒータＨｐ（図３参照）や電動送風機２３等の乾燥機構２０を備えた縦型洗濯乾燥機を例に挙げて説明する。
【００１５】
＜洗濯乾燥機１の外装および筐体１ｋ＞
図１に示す実施形態の洗濯乾燥機１の外装は、鋼板で形成された側面板２ａ，２ｂと、合成樹脂で形成された下ベース２ｃと、合成樹脂で形成されたトップカバー３とで筐体１ｋが形成されている。
換言すると、筐体１ｋは、略角筒状に形成された側面板２ａ，２ｂと、この側面板２ａ，２ｂの下側開口端を閉塞するように設置された下ベース２ｃと、側面板２ａ，２ｂの上側開口端部の周縁部に設置されたトップカバー３と、をボックス状に組み立ててなる。
【００１６】
図２〜図４に示すように、筐体１ｋと後記する外槽５とは、洗濯脱水駆動装置１０（モータ）を回転させて脱水を行う場合に、外槽５が外方向に所定範囲（脱水運転初期のアンバランス挙動範囲）以上大きく揺動するのを抑制する制振ワイヤ４１を備えた連結部材４０によって連結されている。
さらに、図４に示すように、平面視して四角形の筐体１ｋの各内壁面１ｋ１には、外槽５の開口周辺部に対向する位置に、外槽５が外方向に所定範囲以上揺動するのを抑制する抑止部材５０（ダンパ５１，５２，５３，５４）がそれぞれ設けられている。
【００１７】
＜抑止部材５０（ダンパ５１〜５４）＞
図４に示すように、筐体１ｋには、外槽５の上端部が対向する４つの各内壁面１ｋ１の中央部にそれぞれウレタン製のダンパ５１〜５４が設置されている。
ダンパ５１，５２は、例えば、前側および左側の内壁面１ｋ１にそれぞれ接着され、厚さが５ｍｍ程度の矩形のものからなる。このダンパ５１，５２は、後側および右側のダンパ５３，５４よりも厚さが薄くなっている。
ダンパ５３，５４は、例えば、後側および右側の内壁面１ｋ１に取り付けられ、厚さが１５ｍｍ程度の矩形のものからなる。
なお、外槽５の開口部外側と筐体１ｋとの間であって、前側のダンパ５１と右側のダンパ５４との間には、外槽５が所定範囲以上横方向に揺動したことを検出する振動検知センサＳが設置されている。その振動検知センサＳが配置された位置の下方の外槽５の底面周辺部に対向する位置には、連結部材４０（制振ワイヤ４１）が配置されている。
なお、連結部材４０の構造については、後で詳述する。
【００１８】
＜振動検知センサＳ＞
図３に示すように、その振動検知センサＳは、外槽５が所定範囲以上横方向に揺動したときに当接する検知レバーＳ１と、検知レバーＳ１が外槽５によって当接して回動したことを検出する検出スイッチＳ２と、検出スイッチＳ２の検出信号（ＯＮ信号）が送信されるマイコン（図示せず）とを備えて構成されている。
検知レバーＳ１は、中央部の支軸を中心として揺動可能に支持され、一端部が大きく揺動したときの外槽５に当接する位置に配置され、他端部がそのときに検出スイッチＳ２をＯＮ状態にさせるようになっている。
検出スイッチＳ２は、その検知レバーＳ１に押圧されてＯＮするスイッチであればよく、その形式等は特に限定されない。検出スイッチＳ２は、例えば、板ばねからなる可動接点板を有するスイッチである。
マイコンは、外槽５の振動の変動を監視する監視装置等の機能を備えている。
【００１９】
＜側面板２ａ，２ｂ＞
図２に示すように、側面板２ａ，２ｂは、洗濯乾燥機１の本体を形成するパネル部材であり、プレス機によって薄い鋼板を折曲形成してなる２枚の薄板部材を平面視して略ロ字状に組み付けてなる。
【００２０】
図２に示すように、側面板２ａは、左右側面および背面を形成する平面視で略コ字状の形成された外枠状のサイドパネル部材であり、左右前端部を互いに内側方向にＬ字状に折曲したフレーム部２ａ１，２ａ２を左右対称な位置に備えている。
フレーム部２ａ１，２ａ２は、上下方向に長く略帯状に延在する部位であって、前側の側面板２ａが重なった状態に連結される重ね代状の部位である。フレーム部２ａ１，２ａ２には、先端部近傍に段差状に傾斜して形成されたストッパ２ａ２，２ｂ２が上下方向に向けて延設されて、補強されている。正面右側のフレーム部２ａ１の下部には、後記する外槽５と筐体１ｋとを連結する連結部材４０の筐体固定具４２が第１締結部材Ｂ１によって固定されている（図５および図６参照）。
【００２１】
前側の側面板２ｂは、略平板状の形成されたフロントパネル部材であり、筐体１ｋの前面部を形成するように設置されている。
【００２２】
＜トップカバー３＞
図３に示すトップカバー３は、中央部に衣類等の洗濯物出入れ口３ａを有しており、この洗濯物出入れ口３ａを開閉するための外蓋体４が設けられている。なお、図３では、実線で外蓋体４の閉状態を示し、二点鎖線で外蓋体４の開状態を示している。
洗濯物出入れ口３ａが形成されるトップカバー３は、必要に応じて、複数の部材を組み合わせて構成され、洗濯乾燥機１の上部を覆うように嵌め込んで取り付けネジによって側枠(図示せず)に固定される。
トップカバー３に形成した洗濯物出入れ口３ａは、基部ヒンジｈ１(図１参照)によりトップカバー３に回転自在に取り付けた外蓋体４によって、開閉自在に構成されている。
【００２３】
図３に示すように、トップカバー３における外蓋体４の当接面３ｂの左側の前縁部分には、粉末洗剤を投入する粉末洗剤投入箱３ｄが形成されている。粉末洗剤投入箱３ｄの底面は、投入された粉末洗剤が洗剤投入口１３に円滑に流下するように形成されている。
図１に示すように、トップカバー３の前側に配置されるスイッチ実装面３ｃには、電源をオン・オフするための押しボタン式の電源スイッチＳＷ１と、外蓋体４を開閉操作するための外蓋開閉指示スイッチＳＷ２と、洗剤量検出指示スイッチＳＷ３とが実装されている。
【００２４】
＜外蓋体４＞
図３に示す洗濯物出入れ口３ａを開閉する外蓋体４は、合成樹脂で形成され、トップカバー３の洗濯物出入れ口３ａを開閉自在とするように基部ヒンジｈ１に回転自在(図の矢印α１、α２方向)に設けられる後蓋部４ｂ(図１参照)と、後蓋部４ｂの前縁に中間ヒンジｈ２(図１参照)によって屈伸自在に連結された前蓋部４ａとを有している。
外蓋体４は、電動または手動で、洗濯物出入れ口３ａの開閉動作が行われる。
【００２５】
図１に示す外蓋体４の前蓋部４ａには、外蓋体４を手動開閉する際にユーザが指先を挿し入れるように前蓋部４ａの後端部を凹ませて形成される取っ手部４ａ２と、該取っ手部４ａ２の開口を塞ぐようにネジリバネ等で回転可能に弾性支持される取っ手蓋部４ａ１と、この取っ手蓋部４ａ１の手前側に連なって洗濯乾燥機１を操作・動作表示するための操作表示パネル部４ａ３とが設けられている。
なお、図２においては、取っ手蓋部４ａ１、取っ手部４ａ２、操作表示パネル部４ａ３の構成は省略して示している。
【００２６】
操作表示パネル部４ａ３は、図１に示すように、外蓋体４の前蓋部４ａの上面に配置され、主として該外蓋体４を閉じた状態で操作される操作ボタンｂｕと洗濯乾燥機１の動作状態を表示する表示パネルＰとが、パネル制御回路基板(図示せず)に接続され設けられている。パネル制御回路基板は、図示しない主制御基板、電力用制御基板等にバスラインで接続されている。
【００２７】
＜外蓋体４の開閉＞
図１に示す外蓋体４を、電動で開閉駆動する電動開閉駆動機構は、後蓋部４ｂを、基部ヒンジｈ１(図３参照)を支点にして開閉駆動電動機で駆動して起伏動作(図３の矢印α１、α２参照)させるとともに、前蓋部４ａを中間ヒンジｈ２(図３参照)廻りに従動させて、前蓋部４ａ、後蓋部４ｂを折り畳んだ開状態(図２の二点鎖線参照)と、前蓋部４ａ、後蓋部４ｂを広げて平坦にした閉状態(図３の実線参照)との開閉動作を行っている。
【００２８】
或いは、この構成に代えて、中間ヒンジｈ２(図３参照)の位置において後蓋部４ｂと前蓋部４ａが、開／閉状態とするように開閉駆動電動機で屈伸駆動することによって開閉動作するように構成してもよい。
この外蓋体４の開／閉制御のために、外蓋体４の全開／全閉状態を検出するための外蓋全開検出センサ、外蓋全閉検出センサ（図示せず）が設けられている。
【００２９】
一方、ユーザが外蓋体４を手動で開閉動作する際には、ユーザが取っ手蓋部４ａ１を指先で押圧することによって、取っ手蓋部４ａ１が後退転動して指先を取っ手部４ａ２内に挿入して取っ手部４ａ２をつかみ、外蓋体４の前蓋部４ａを上げ下げすることで、外蓋体４の開閉が行われる。
外蓋体４を開閉駆動する電動開閉駆動機構は、ユーザが手で外蓋体４を開閉駆動操作するときに大きな機械的負荷抵抗とならないように、開閉駆動電動機の形態を考慮したり、動力伝達系にクラッチ機構を介在させたりすることが望ましい。
【００３０】
＜外槽５＞
図３に示すように、洗濯乾燥機１の筐体１ｋ内には、洗濯水を溜める外槽５が、筐体１ｋの上端四隅部に設けた隅板に係止し垂下させた４本の吊り部材（図示せず）で支持され、洗濯乾燥機１内の中心部に縦向きに配置されている。
吊り部材は、ばね等の弾性材と空気など流体の粘性による減衰機構を有する防振機構を備えている。この防振機構を介して、外槽５が、防振支持され、脱水運転起動時等の振れ回り運動が抑制されている。
【００３１】
外槽５は、軸方向に長い有底円筒形状に、合成樹脂で形成されている。外槽５は、その下部５ｃの側壁に水位検出のためのエアトラップ５ａが形成され、エアチューブｃ１を介して水位検出手段である感圧式の水位検出センサｃ２に接続され、その底部には排水兼排気口５ｂが設けられている。また、外槽５の底部の外側には、鋼板製の取り付けベース１８を介して洗濯脱水駆動装置１０（モータ）が取り付けられている。
また、外槽５の下部５ｃには、連結部材４０の外槽固定具４３が第３締結部材Ｂ３によって固定される受座５ｄが形成されている（図６参照）。
外槽５内には、衣類等の洗濯物１９が投入され、洗濯、すすぎ、脱水、乾燥が行われる内槽６が回転自在に同心的に設けられている。
【００３２】
＜外槽上カバー９＞
図３に示すように、内槽６が収容された外槽５の上側開口端には、外槽５と内槽６の間の間隙を覆うべく、内側衣類投入口９ａを備えた外槽上カバー９が取り付けられている。
外槽上カバー９の内側衣類投入口９ａは、図示しない内蓋によって開閉自在に覆われるが、ここでは内蓋の説明は省略する。
【００３３】
外槽上カバー９には、内槽６内に向けて開口され洗濯工程時に循環される水を内槽６内に散水する散水口１１と、乾燥工程時に乾燥用の空気を内槽６内に噴出する噴気口１２とが取り付けられる。また、外槽上カバー９には、内槽６と外槽５の間の間隙に向けて開口する態様で、洗剤投入口１３と給水口１４とが取り付けられる。洗剤投入口１３は、粉末洗剤投入箱３ｄに連通している。
【００３４】
＜内槽６＞
外槽５内に配置される内槽６は、洗濯兼脱水槽であり、ステンレス鋼板を用いて、軸方向に長い有底円筒形状に形成されている。
内槽６の周壁には、通水および通風のための小穴６ａが形成され、その上縁部に、高速回転の脱水工程時に洗濯物１９の偏りと反対方向に流体が移動して洗濯物１９の偏りによる振動を抑制する流体バランサ６ｂを備えている。内槽６は、脱水工程時には高速で回転して、洗濯物１９に含まれる水分を遠心力により洗濯物１９から分離して脱水孔から排出する遠心脱水が行なわれる。
【００３５】
内槽６内の内底面部の中央には、洗濯物１９を上下動、攪拌等して洗濯、すすぎ等を行う回転翼３０が回転自在に設けられている。回転翼３０は、洗濯脱水駆動装置１０によって回転駆動され、正転／逆転を繰り返して洗濯、すすぎ等を行う。また、乾燥運転でも回転翼３０は、正転／逆転を繰り返して乾燥が行なわれる。
【００３６】
＜洗濯脱水駆動装置１０＞
洗濯脱水駆動装置１０（モータ）は、可逆回転型のコンデンサ分相単相誘導電動機、インバータ駆動電動機等を使用した駆動電動機と電磁操作クラッチ機構と遊星歯車減速機構を内蔵し、駆動電動機と電磁操作クラッチ機構を制御することによって、内槽６を静止させた状態で回転翼３０を繰り返し正逆（往復）回転させる撹拌駆動モードと、内槽６と回転翼３０を一体的に同一方向に回転させる脱水駆動モードとを選択的に実行する駆動機能を有する。
【００３７】
＜洗濯工程時の洗濯水の循環＞
次に、洗濯工程時に洗濯水を内槽６から排出して再び給水して循環する構成について説明する。
図３に示す外槽５の排水兼排気口５ｂは、蛇腹管ｊ２と内部配管ｋ１を介して排水電磁弁１６の入水口と電動循環ポンプＰ１の入水口に接続している。
この排水電磁弁１６と電動循環ポンプＰ１は、筐体１ｋ内の強度部材(図示せず)に取り付けられ、排水電磁弁１６の出水口は、外部排水ホース１７に接続される。電動循環ポンプＰ１の出水口は、内部配管ｋ２と蛇腹管ｊ３と糸屑フィルタｆ１が着脱可能に設置される内部配管ｋ３を介して散水口１１に接続する。
【００３８】
これらの排水兼排気口５ｂと蛇腹管ｊ２と内部配管ｋ１と電動循環ポンプＰ１と内部配管ｋ２、ｋ３と蛇腹管ｊ３と散水口１１とで、洗濯水循環機構を構成している。
この洗濯水の循環が行われる洗濯工程においては、洗濯物１９に含まれる洗濯水に加え、最低水位(回転翼３０が沈む程度から内槽６の内底面から１／２の高さ寸法の水位)の洗濯水が付与され、洗濯が行われる。
【００３９】
＜乾燥機構の構成＞
筐体１ｋ内の後側部には、乾燥工程において洗濯物１９から吸湿した水分を含む空気を、水冷除湿板２２の外面上を流れる冷却水で冷却して除湿するための水冷除湿機構２０が設置されている。
水冷除湿機構２０の基本的な構成は、乾燥工程における外槽５内の湿潤した空気を排水兼排気口５ｂから吸い出し、水冷除湿板２２の外面上を流れる冷却水で水冷除湿して絶対湿度を低下させた後に加熱し、内槽６内にその上方から吹き込む乾燥空気循環系を構成している。
【００４０】
水冷除湿機構２０は、排水兼排気口５ｂから、蛇腹管ｊ４を介して、接続された乾燥用空気の通風路である水冷除湿風路２１を備える。
この水冷除湿風路２１内に水冷除湿板２２が設置されるとともに、乾燥用空気に含まれる糸屑を除去する糸屑フィルタｆ２と、乾燥用空気を送風するための電動送風機２３と、除湿後の乾燥用空気を加熱するための電熱ヒータＨｐとが設けられる。
【００４１】
具体的には、水冷除湿風路２１は、排水兼排気口５ｂを入口として、蛇腹管ｊ４から上方に向けて伸びるように上昇風路２１ａが設けられ、上昇風路２１ａ内に水冷除湿板２２が設置される。そして、上昇風路２１ａの上端部から折り返して下方に向けて伸びる下降風路(図示せず)を設け、この折り返し部に糸屑フィルタｆ２が着脱可能に設置される。下降風路内には該下降風路内を流れる空気の湿度に感応する湿度センサ(図示せず)が設置される。この下降風路の下端部に電動送風機２３の吸気口が接続され、この電動送風機２３の排気口から上方に向けて伸びる上昇風路(図示せず)が設けられる。
上昇風路の先は、空気加熱管ｋ４と蛇腹管ｊ５を介して前記の噴気口１２に接続される。空気加熱管ｋ４内には、乾燥工程時の乾燥用の循環空気を加熱するＰＴＣヒータ等の電熱ヒータＨｐが内装される。
【００４２】
＜連結部材４０＞
次に、図５〜図８を主に参照しながら連結部材４０の構成について、詳細に説明する。
図５は、図２に示す連結部材の拡大図である。図６は、図２に示す連結部材を斜め上方から見た拡大斜視図である。図７は、実施形態の連結部材の拡大分解斜視図である。図８(ａ)は、実施形態の連結部材の固定具を筐体の側面板に取り付けるときの状態を示す要部拡大分解断面図であり、図８(ｂ)は、図５のＣ−Ｃ線断面図である。
【００４３】
図５および図６に示すように、前記した連結部材４０は、脱水時に、外槽５が外方向に所定範囲（脱水運転初期のアンバランス挙動範囲）以上大きく揺動（振動）するのを抑制するために、外槽５と筐体１ｋとを連結するものである。
図７に示すように、連結部材４０は、それぞれ後記する制振ワイヤ４１と、制振ワイヤ４１の筐体１ｋ側に連結される筐体固定具４２と、制振ワイヤ４１の外槽５側に連結される外槽固定具４３と、筐体固定具４２を筐体１ｋに固定するための第１締結部材Ｂ１と、制振ワイヤ４１を筐体固定具４２に固定するための第２締結部材Ｂ２と、外槽固定具４３を外槽５に固定するための第３締結部材Ｂ３と、を備えて構成されている。
【００４４】
＜制振ワイヤ４１＞
前記制振ワイヤ４１は、平常の状態のときに、外槽５と筐体１ｋと弛んだ状態で連結して、外槽５が制振ワイヤ４１の配置位置とは反対側の外方向へ所定範囲以上大きく揺動した際に（図４の仮想線で示す外槽５の状態）、ピンと張った状態になって、外槽５が大きく揺れ回るのを抑制する１本の線状部材である。制振ワイヤ４１は、両端部にそれぞれ形成された環状の輪部４１ａ，４１ｂと、この輪部４１ａ，４１ｂより制振ワイヤ４１の中央側寄りの位置に隣設された緩衝部材４４，４４と、を有している。制振ワイヤ４１の材質は、例えば、樹脂、繊維、ステンレス鋼等からなり、外槽５の振れを抑制する荷重が負荷されたときに、伸びない材質のものが好ましい。
【００４５】
図７に示すように、輪部４１ａ，４１ｂは、制振ワイヤ４１の両端部を、輪を描くように円く曲げて結んでリング状にしたものである。筐体固定具４２側の輪部４１ａは、筐体固定具４２の筒部４２ｄに遊嵌されて、座金Ｂ２ａ，Ｂ２ｂを介して第２締結部材Ｂ２によって、固定具本体４２ａの基部４２ｈと座金Ｂ２ａとの間の筒部４２ｄに、ガタツキがある状態に連結される。
図６に示すように、外槽固定具４３側の輪部４１ｂは、外槽固定具４３のカラー部４３ａに遊嵌されて、フランジ部４３ｂおよび座金Ｂ３ａを介して第３締結部材Ｂ３によって、外槽５の下部５ｃの受座５ｄとフランジ部４３ｂとの間のカラー部４３ａに、ガタツキがある状態に連結される。
緩衝部材４４，４４は、例えば、制振ワイヤ４１に装着されたエラストマ等の弾性部材からなる。緩衝部材４４，４４は、円柱形状部４４ａと、円柱形状部４４ａから制振ワイヤ４１の中央側に向って段々に小径になるように形成されて弾性を備えた小径部４４ｂと、を一体形成してなる。
【００４６】
＜筐体固定具４２＞
図７に示すように、前記筐体固定具４２は、それぞれ後記する固定具本体４２ａと、一方側支持部４２ｂと、他方側支持部４２ｃと、筒部４２ｄと、リブ４２ｅと、規制部４２ｆと、補強用凸部４２ｇと、基部４２ｈと、段差部４２ｉ（図６参照）と、ねじ穴４２ｊ，４２ｋ（図８（ａ）、（ｂ）参照）と、係合部４２ｍと、を有する樹脂製の部材である。筐体固定具４２には、制振ワイヤ４１の一端の輪部４１ａが取り付けられている。筐体固定具４２は、この筐体固定具４２に形成されたねじ穴４２ｊに、筐体１ｋの貫通孔２ａ３（図８（ｂ）参照）に挿通した第１締結部材Ｂ１を螺着することによって、フレーム部２ａ１に固定される。
【００４７】
固定具本体４２ａは、筐体固定具４２の本体を形成する部位であり、正面視して四角形のリング状に形成されている。図８（ａ）、（ｂ）に示すように、固定具本体４２ａは、この筐体固定具４２を装着する筐体１ｋの一部を形成するフレーム部２ａ１の端部２ａ４が入り込むようにするために、平面視して、フレーム部２ａ１の略厚さ分の高さだけ段差状に折り曲げた段差部４１ｉを有し、略コ字状に形成されている。
【００４８】
一方側支持部４２ｂは、筐体固定具４２をフレーム部２ａ１の端部２ａ４に装着した際に、フレーム部２ａ１の端部２ａ４の一方の面が当接する部位であり、環状の固定具本体４２ａの一部である。
他方側支持部４２ｃは、筐体固定具４２をフレーム部２ａ１の端部２ａ４に装着した際に、フレーム部２ａ１の端部２ａ４の他方の面が当接する部位である。他方側支持部４２ｃは、基部４２ｈからリング状の固定具本体４２ａの中側に向けて突設されるとともに、中央部にねじ穴４２ｊを有することにより、断面視して凹部状に形成されている。
【００４９】
図８（ｂ）に示すように、筒部４２ｄは、この筒部４２ｄの外周部側に、制振ワイヤ４１の一端の輪部４１ａが遊嵌されるとともに、中心部側に、第２締結部材Ｂ２が螺合されるねじ穴４２ｋが形成されている。筒部４２ｄは、基部４２ｈの中央部に一体形成された有底円筒状の部位である。
図７に示すように、リブ４２ｅは、凹部状の筒部４２ｄの外側壁と、凹部状の他方側支持部４２ｃの外側壁と、基部４２ｈとを連結した平板状の部位である。
【００５０】
図８（ａ）、（ｂ）に示すように、規制部４２ｆは、筐体固定具４２をフレーム部２ａ１の端部２ａ４に装着した際に、フレーム部２ａ１の端部２ａ４の近傍に段差状に折曲形成されたストッパ２ａ２に当接する位置決め部位である。この規制部４２ｆがストッパ２ａ２に当接することにより、筐体固定具４２がフレーム部２ａ１の所定位置まで係合して、ねじ穴４２ｊと貫通孔２ａ３とが一致するように位置決めされる。
【００５１】
図５および図６に示すように、補強用凸部４２ｇは、段面視して山状に形成されると共に、固定具本体４２ａの背面に沿って環状（略Ｃ字状）に延設された補強用の厚肉部分である。
図７に示すように、前記基部４２ｈは、略ロ字形状の固定具本体４２ａの筒部４２ｄがある側の辺を形成する部位であり、筒部４２ｄを中心として上下方向に向けて延設されている。
図８（ｂ）に示すように、段差部４２ｉは、リング状の固定具本体４２ａにおいて、前記基部４２ｈの上下端部と一方側支持部４２ｂとの間に形成された段差状の部位である。
ねじ穴４２ｊ，４２ｋは、第１締結部材Ｂ１および第２締結部材Ｂ２が螺着される部位であり、他方側支持部４２ｃおよび筒部４２ｄに形成されている。
図８（ａ）、（ｂ）に示すように、係合部４２ｍは、筐体固定具４２をフレーム部２ａ１の端部２ａ４に装着した際に、他方側支持部４２ｃ側に斜めに折曲された端部２ａ４が係合する部位である。係合部４２ｍは、他方側支持部４２ｃと筒部４２ｄとの間に形成されている。
【００５２】
＜第１締結部材Ｂ１、第２締結部材Ｂ２および第３締結部材Ｂ３＞
図７に示すように、第１締結部材Ｂ１、第２締結部材Ｂ２および第３締結部材Ｂ３は、例えば、座金付きのねじからなる。なお、第１締結部材Ｂ１、第２締結部材Ｂ２および第３締結部材Ｂ３は、制振ワイヤ４１を筒部４２ｄおよび外槽固定具４３に脱落しないように保持できる部材であればよく、その種類等は特に限定されない。
座金Ｂ２ａは、筒部４２ｄに遊嵌した制振ワイヤ４１の輪部４１ａが筒部４２ｄから離脱するのを阻止するための部材であり、筒部４２ｄの外径および制振ワイヤ４１の輪部４１ａの径より大きな外径を有する平座金からなる。
【００５３】
［連結部材４０の取り付け方およびその作用］
連結部材４０を洗濯乾燥機１に取り付けるときは、まず、制振ワイヤ４１の一方の輪部４１ａを筐体固定具４２の筒部４２ｄに遊嵌させて、筒部４２ｄの開口部に座金Ｂ２ａ，Ｂ２ｂを介在して第２締結部材Ｂ２を螺着させ、制振ワイヤ４１を筐体固定具４２に取り付ける。
【００５４】
次に、図８（ａ）、（ｂ）に示すように、筐体固定具４２を筐体１ｋのフレーム部２ａ１の端部２ａ４に係合させるように嵌め込む。すると、筐体固定具４２は、一方側支持部４２ｂと他方側支持部４２ｃとの間でフレーム部２ａ１の表裏を挟み、フレーム部２ａ１の端部２ａ４が係合部４２ｍに係合し、ストッパ２ａ２に規制部４２ｆが当接することによって、ねじ穴４２ｊが貫通孔２ａ３と一致する所で自ずと停止する。
【００５５】
このため、筐体固定具４２のねじ穴４２ｊを貫通孔２ａ３に一致させる位置合わせを容易に行うことができる。また、フレーム部２ａ１と重なり合う一方側支持部４２ｂと他方側支持部４２ｃとは、一方側支持部４２ｂの背面に補強用凸部４２ｇが形成されていることによって強度があるとともに、他方側支持部４２ｃにリブ４２ｅ（図７参照）が形成されていることにより強度がある。このため、筐体固定具４２は、一方側支持部４２ｂと他方側支持部４２ｃとによってフレーム部２ａ１の表裏をしっかりと挟持することができる。
さらに、筐体固定具４２は、第１締結部材Ｂ１をフレーム部２ａ１の貫通孔２ａ３を貫通してねじ穴４２ｊの螺着することによって、しっかりとフレーム部２ａ１に固定することができる。
【００５６】
次に、図６に示すように、外槽固定具４３のカラー部４３ａを制振ワイヤ４１の輪部４１ｂに挿入する。その外槽固定具４３に第３締結部材Ｂ３を挿入して第３締結部材Ｂ３を外槽５の下部５ｃの受座５ｄに螺着させることによって、連結部材４０の他方側を外槽５に固定する。これにより、連結部材４０を筐体１ｋと外槽５とに連結させる作業が終了する。
なお、図面では、制振ワイヤ４１は、ピンと張った状態のときを示しているが、平常時の場合、弛んでいる状態に設けられている。また、制振ワイヤ４１の両端の輪部４１ａ，４１ｂは、筐体固定具４２および外槽固定部４３に揺れ動くガタついた状態に設けられていることによって、長期にわたって外槽４３が振動しても破断しないように取り付けられている。
【００５７】
［制振ワイヤ４１の作用］
次に、図４を主に参照しながら制振ワイヤ４１の作用を説明する。
洗濯脱水駆動装置１０（モータ）を高速に回転させて遠心脱水を行う場合、内槽６内では、洗濯物１９が不均一の状態で存在する。その状態で内槽６を高速回転させると、洗濯物１９の重さ等により、大きなアンバランスを発生する。内槽６は、この内槽６内に不釣合いの偏った状態で洗濯物１９があることにより、その偏った洗濯物１９の重さによって、図４の仮想線で示すように内槽６全体がアンバランスの状態で回転し、大きな振動を発する。内槽６は、振動を低減させる流体バランサ６ｂが設置されているが、高速回転で内槽６が回転しているときは、洗濯物１９が水を含んで重く遠心力が大きくなっているので、洗濯物１９が不釣合いで内槽６の壁面に張り付いた状態になっている。このため、振動が大きくなり、外槽５を含む槽全体の挙動が不安定になる。
【００５８】
洗濯物１９の量が多い場合には、さらに遠心力が大きくなり、図４に仮想線で示すように、外槽５が前後左右方向に振動する。このとき、外槽５の上部は、ダンパ５１〜５４に当接することによって、横揺れが規制される。
図３に示すように、外槽５は、側面視して重心Ｃより高さＨ低い位置にある支点Ｄを中心として振れ回る。
【００５９】
図４に示すように、その外槽５が左方向および後方向へ大きく振れ回る際には、制振ワイヤ４１がピンと張った状態になって、脱水運転初期のアンバランスな挙動範囲以上に外槽５が大きく振れ回ることが抑制される。つまり、制振ワイヤ４１を洗濯脱水する内槽６の外側にある外槽５と筐体１ｋとを連結させたことによって、内槽６内の洗濯物１９の偏りによる脱水運転初期のアンバランス挙動を抑制することができる。
【００６０】
これにより、振動検知センサＳが働いて、脱水運転が一時的に停止された場合であっても、脱水運転起動時の洗濯物１９の偏りによるアンバランスな挙動によって、脱水運転が開始されなくなることを解消して、常に、スムーズに脱水運転起動させることが可能な状態となる。
つまり、マイコン制御によって、アンバランスな挙動のまま脱水起動を試みた場合には、脱水運転が可能な状態になる。
【００６１】
このように、１本の制振ワイヤ４１を外槽５の下部５ｃの正面右側よりに配置して、筐体１ｋに外槽５を連結したことにより、簡素な構造で効果的に外槽５の振動を抑制することができる。また、その制振ワイヤ４１は、簡易的な組付け構造であるため、メンテナンス性にも優れている。
【００６２】
＜変形例＞
なお、前記実施形態では、洗濯乾燥を行う洗濯乾燥機１を例示して説明したが、前記した乾燥機能を備えていない洗濯機においても、本発明は有効に適用可能であることは勿論である。
【００６３】
また、前記実施形態では、１本の制振ワイヤ４１（連結部材４０）を外槽５と筐体１ｋとに連結した場合を説明したが、これに限定されるものではなく、制振ワイヤ４１（連結部材４０）を外槽５と筐体１ｋとの間の適宜な位置に複数本取り付けても構わない。
つまり、制振ワイヤ４１（連結部材４０）を上下等に設けたり，上下左右等の対称な位置に設けたりして、適宜に変更しても構わない。
【符号の説明】
【００６４】
１      洗濯乾燥機（洗濯機）
１ｋ    筐体
１ｋ１  内壁面
２ａ，２ｂ  側面板
２ａ１  フレーム部
２ａ２  ストッパ
２ａ３  貫通孔
５      外槽
６      内槽
１０    洗濯脱水駆動装置（モータ）
１９    洗濯物
２０    水冷除湿機構(乾燥機構)
４０    連結部材
４１    制振ワイヤ
４１ａ，４１ｂ  輪部
４２    筐体固定具（固定具）
４２ａ  固定具本体
４２ｂ  一方側支持部
４２ｃ  他方側支持部
４２ｄ  筒部
４２ｅ  リブ
４２ｇ  補強用凸部
４３    外槽固定具（固定具）
４４    緩衝部材
５０    抑止部材
５１，５２，５３，５４  ダンパ
Ｂ１    第１締結部材
Ｂ２    第２締結部材
Ｂ３    第３締結部材
Ｓ      振動検知センサ
【図１】
2010233770.tif 000003
【図２】
2010233770.tif 000004
【図３】
2010233770.tif 000005
【図４】
2010233770.tif 000006
【図５】
2010233770.tif 000007
【図６】
2010233770.tif 000008
【図７】
2010233770.tif 000009
【図８】
2010233770.tif 000010